(57)【要約】写真機材のシャッターレリーズを遠隔制御するためのキット（１）は、レリーズスイッチ（５）を有し、かつ電気若しくは電子式であることが好ましい遠隔制御装置（４）と、この制御装置を写真用ヘッド（３）若しくは他の機材に支持させるための制御装置用の取着部（８）とを有している。制御装置（４）を収容するための座部（１１）が、取着部（８）中に設けられ、制御装置は、座部中に着脱可能に収容される。
2007518123.tif 000002
【特許請求の範囲】
【請求項１】
レリーズスイッチ（５）を有し、電気若しくは電子式であることが好ましい遠隔制御装置（４）と、この遠隔制御装置を写真用ヘッド（３）若しくは他の機材に支持させるように遠隔制御装置（４）を取着させるための取着部（８）とを具備する写真機材（２）等のシャッターレリーズを遠隔制御するためのキットにおいて、前記遠隔制御装置（４）中に受ける座部（１１）が、前記取着部（８）中に設けられ、前記遠隔制御装置（４）は、前記座部中に着脱可能に収容されることを特徴とするキット。
【請求項２】
前記取着部（８）は、前記座部（１１）を形成し、かつ完全に閉成されていない環状のストリップ（９）を有している請求項１のキット。
【請求項３】
前記遠隔制御装置（４）は、前記座部（１１）中に完全に収容されることが可能な細長い本体（４）を有している請求項１又は２のキット。
【請求項４】
前記取着部（８）は、前記座部（１１）の外側に延びている付属部（１２）と、取着部（８）を前記ヘッド（３）に装着させるために前記付属部（１２）に設けられた取付け手段とを有している請求項２又は３のキット。
【請求項５】
着脱可能な前記取付け手段は、前記付属部（１２）に少なくとも１つのホール（１３）を有している請求項４のキット。
【請求項６】
前記ストリップと前記付属部との相対位置が互いに異なる少なくとも２つの取着部（８，１４）を有している請求項４又は５のキット。
【請求項７】
前記取着部（８，１４）は、複数の異なる操作位置で前記ヘッドに着脱可能に装着されることができる前記全ての請求項のいずれか１のキット（１）を具備する位置決め可能なヘッド（３）。
【発明の詳細な説明】
【技術分野】
【０００１】
本発明は、写真機材のシャッターレリーズを遠隔制御するためのキットと、このキットを装着するように設計された位置決め可能なヘッドとに関する。
【背景技術】
【０００２】
写真撮影において、シャッターレリーズが遠隔制御され得るように、写真機材のシャッターレリーズを遠隔制御する必要性がある。
【０００３】
シースされた金属ワイヤーの制御装置（例えば、Bowden cables）が、この目的のために代表的に使用され、比較的最近の機材の場合には、電気若しくは電子式の制御装置が使用されている。前者は、機材に設けられたシャッターレリーズと遠隔式プランジャーアクションとの間の機械的なリレーとして写真機材に作用し、後者は、コンダクタを介して伝送される電気信号によって同じ機能を果たす。
【０００４】
あらゆる場合において、レリーズプランジャーは、写真機材を支持しているか写真機材にしっかりと装着されている位置決め可能なヘッドとのリンクを有していないことが一般的である。
【０００５】
前者の状況において、電気若しくは電子式のシャッターレリーズを有する装置は、この装置が装着されている機材並びにヘッドが処理されているときにダメージを潜在的に受けやすく、後者の状況において、装置は、不測の必要性に応じたヘッドからの取り外しがかなり若しくは完全に不適切である。
【０００６】
さらに、ヘッドと装置とは、全体が単一成形体を形成しているので、２つのパーツは、別々に販売されることができず、かくして、シャッターレリーズの遠隔制御を必要としていない購入者の場合、ヘッドの販売価格を不利にしている。どちらの場合も、装置の位置をヘッドの異なる位置に調節することで装置を移動させることは不可能である。
【発明の開示】
【発明が解決しようとする課題】
【０００７】
本発明の主な目的は、従来技術を参照して説明された全ての欠点を克服することを可能にしたキットを提供することである。
【０００８】
本発明の更なる目的は、使用されていないときの遠隔制御装置を保護することである。
【０００９】
本発明の他の目的は、キットと、支持された写真機材を方向付けるためのヘッド若しくは他の支持部とを提供することであり、このヘッド若しくは他の支持部は、方向付けの支持部のハンドルを放すことなく写真をとることを可能にするような方法で、異なる相対的位置を可能にするのに十分に応用がきく。
【課題を解決するための手段】
【００１０】
以下で明らかとなるこれら目的と更なる他の目的とは、写真機材等のシャッターレリーズを遠隔制御するためのキットと、請求項に従って設計されたキットを装着するように設計された位置決め可能なヘッドとで本発明によって達成される。
【００１１】
本発明の特徴と効果とは、添付図面を参照して非限定的に後述された好ましいが排他的な実施形態の詳細な説明からさらに明らかとなるであろう。
【発明を実施するための最良の形態】
【００１２】
図において、１は、方向付けヘッド３に装着される写真機材２の完成品のシャッターレリーズを遠隔制御するためのキットを全体的に示している。
【００１３】
このキット１は、細長い本体を有する電気式の遠隔制御装置４を有している。この本体は、レリーズスイッチ(release switch)５とケーブル用のジャックタイプのソケット６，７とを、軸方向の両側面にそれぞれ支持している。前記ケーブルは、本質的に、スイッチ５によってシャッターレリーズを制御するために写真機材２に接続されることで知られている。キット１は、また、ヘッド３若しくは他の機材に制御装置を支持させるように前記装置を取着するための取着部８を有している。この取着部８は、軸方向に延びたギャップ１０を形成するように自身が完全に閉成されていない環状のシースのストリップ９を有している。このギャップ１０は、ストリップ９を弾性的に変形可能な状態にしている。
【００１４】
このストリップ９は、座部１１を形成しており、この座部中に、前記制御装置４が、ほぼ完全な方法で、若しくはレリーズスイッチとこれに対応した囲み部分とだけがストリップから突出した状態で、着脱可能に収容されている。座部１１内に挿入されているとき、装置４は、座部１１中にしっかりと保持された状態を維持するように、ストリップ９を弾性的に拡大させている。
【００１５】
前記取着部８は、また、取付けねじ１３ａによって取着部をヘッド３に取着させるために、座部１１の外側に延び、かつホール１３並びに/若しくは他の適切な取付け手段を備えた付属部１２を有している。
【００１６】
好ましくは、キット１は、ストリップ９に対する付属部１２ａの位置のみが上述のものと異なる第２の取着部１４を有している。上述されたものを除いた取着部８並びに１４の同様の細部には、同じ符号が付されている。
【００１７】
キット１は、図５ないし８に示されているような、ピストル式の握りを目的としたハンドルを有するタイプのヘッド１５に取着されるのに特に適し、この目的のために、前記ヘッドには、複数の異なる操作位置がもたらされ、これら位置に、キット１が、変更して取着される。
【００１８】
第１、第２、第３、並びに第４の装着手段１６，１７，１８，並びに１９の各々が、平らな部分を有し、この平らな部分に、ねじ１３ａ用のねじ穴が貫通された付属部１２が当接し、これら位置に、対応した第１、第２、第３、並びに第４の装着手段は、配置されることができる。
【００１９】
従って、これら操作位置に、取着部８は、ヘッドの異なる位置における最も適切な位置に、シャッターレリーズを遠隔制御する装置を受けるように、前記平らな部分に当接している付属部１２によって選択的に取着されることができる。
【００２０】
しかし、キット１は、図３に示されているような異なるヘッドで使用されることもできる。
【００２１】
かくして、本発明は、述べられた目的を果たし、これまで知られたものに多くの効果を提供している。中でも以下のものは、特に価値のあるものである。第１に、キットは、ヘッドと別々に販売されることができ、かくして補足的な付属品となっている。第２に、キットは、異なる操作位置に任意に配置されることができ、図５ないし８のハンドルによって、開口支持部のハンドルを放すことなく写真をとることを可能にしている。これに加えて、遠隔制御装置は、全ての状況において十分に保護されている。
【図面の簡単な説明】
【００２２】
【図１】本発明に従ったキットの正面斜視図である。
【図２】図１のキットの制御装置の後面斜視図である。
【図３】図１のキットが装備された写真機材のためのヘッドの正面図である。
【図４】別の実施形態のキットの構成部材の斜視図である。
【図５】方向付けハンドルと本発明に従ったキットの対応した位置とを有する写真用ヘッドの異なる位置を示している。
【図６】方向付けハンドルと本発明に従ったキットの対応した位置とを有する写真用ヘッドの異なる位置を示している。
【図７】方向付けハンドルと本発明に従ったキットの対応した位置とを有する写真用ヘッドの異なる位置を示している。
【図８】方向付けハンドルと本発明に従ったキットの対応した位置とを有する写真用ヘッドの異なる位置を示している。
【図１】
2007518123.tif 000003
【図２】
2007518123.tif 000004
【図３】
2007518123.tif 000005
【図４】
2007518123.tif 000006
【図５】
2007518123.tif 000007
【図６】
2007518123.tif 000008
【図７】
2007518123.tif 000009
【図８】
2007518123.tif 000010
【国際調査報告】
2007518123.tif 000011
2007518123.tif 000012
2007518123.tif 000013